(57)【要約】【課題】防塵性とスイッチ作動の信頼性に優れたリーフスイッチを提供する。【解決手段】ベースケース２ａとカバーケース２ｂとを接合連結してなるスイッチケース２を備え、このベースケース２ａとカバーケース２ｂとの接合面に板バネ材からなる固定片３および可動片４を挟持固定するとともに、固定片３および可動片４の基端部をケース外に突出させて外部端子３ｂ，４ｂを形成し、スイッチケース１の内部に、一端部を支点として揺動可能なアクチュエータ５を装備し、アクチュエータ５をケース外から揺動操作して可動片３を押圧変形させるよう構成してある。【選択図】図２
2008147127.tif 000002
【特許請求の範囲】
【請求項１】
板バネ材からなる固定片と可動片とを対向配備し、可動片を押圧変形させて固定片に接触導通させるリーフスイッチであって、
ベースケースとカバーケースとを接合連結してなるスイッチケースを備え、このベースケースとカバーケースとの接合面に前記固定片および可動片を挟持固定するとともに、固定片および可動片の基端部をケース外に突出させて外部端子を形成し、
スイッチケースの内部に、一端部を支点として揺動可能なアクチュエータを装備し、アクチュエータをケース外から揺動操作して可動片を押圧変形させることを特徴とするリーフスイッチ。
【請求項２】
前記アクチュエータの遊端側の外面に操作突起を突設し、この操作突起を前記カバーケースの開口から突出させるとともに、復帰状態におけるアクチュエータによって前記開口が閉塞される請求項１に記載のリーフスイッチ。
【請求項３】
前記固定片および可動片を、前記ベースケースとカバーケースの接合部位において位置決め係合してある請求項１または２に記載のリーフスイッチ。
【請求項４】
接合した前記ベースケースとカバーケースとをカシメピンで連結固定するとともに、このカシメピンに前記固定片および可動片を位置決め係合してある請求項３に記載のリーフスイッチ。
【請求項５】
前記固定片に固定接点部を、前記可動片に可動接点部を、それぞれ一対づつ並列形成してある請求項１ないし４のいずれか１項に記載のリーフスイッチ。
【請求項６】
前記アクチュエータの基端部に設けた支点突起を、ベースケースとカバーケースとの接合部位に形成される凹部に回動可能に係止してある請求項１ないし５のいずれか１項に記載のリーフスイッチ。
【請求項７】
前記固定片と可動片とを互いに逆向きの片持ち状態で対向配置してある請求項１ないし６のいずれか１項に記載のリーフスイッチ。
【請求項８】
並列形成してある一対の前記固定接点部の連結部を分離するとともに、並列形成してある一対の前記可動接点部の連結部を分離し、二回路の接点構成とした請求項５に記載のリーフスイッチ。
【発明の詳細な説明】
【技術分野】
【０００１】
本発明は、エレベータスイッチ等の押しボタンスイッチの内蔵スイッチ等として好適に利用することのできるリーフスイッチに関する。
【背景技術】
【０００２】
従来より一般的に実用化されているリーフスイッチとしては、例えば、特許文献１に開示されているように、絶縁体からなる取付け部に、所定の間隔をもって対向配備した薄板材からなる固定片と可動片とを片持ち状に支持して構成されており、固定片および可動片の基端にはリード線取付け部が設けられるとともに、可動片の遊端部にスイッチ操作力を加えて可動片を弾性変形させて固定片に接触導通させるよう構成したものが知られている。
【特許文献１】特開平８−３３５４２５号公報
【発明の開示】
【発明が解決しようとする課題】
【０００３】
上記構成のリーフスイッチは固定片および可動片がむきだしのために、リーフスイッチの内部に異物が入りやすく、入り込んだ異物が固定片と可動片との間に挟まって接点障害を引き起こすおそれがあった。
【０００４】
本発明は、このような実情に着目してなされたものであって、防塵性とスイッチ作動の信頼性に優れたリーフスイッチを提供することを主たる目的とするものである。
【課題を解決するための手段】
【０００５】
（１）本発明のリーフスイッチは、板バネ材からなる固定片と可動片とを対向配備し、可動片を押圧変形させて固定片に接触導通させるリーフスイッチであって、ベースケースとカバーケースとを接合連結してなるスイッチケースを備え、このベースケースとカバーケースとの接合面に前記固定片および可動片を挟持固定するとともに、固定片および可動片の基端部をケース外に突出させて外部端子を形成し、スイッチケースの内部に、一端部を支点として揺動可能なアクチュエータを装備し、アクチュエータをケース外から揺動操作して可動片を押圧変形させるものである。
【０００６】
本発明によると、固定片および可動片は、異物の侵入のおそれの少ないスイッチケース内に収容され、侵入した異物による接点障害の発生を有効に防止することができる。
【０００７】
また、可動片を押圧操作するアクチュエータは支点周りに揺動するので、アクチュエータをスライド移動させる構造に見られるアクチュエータのガタツキや磨耗粉の発生を抑制し、アクチュエータを円滑に揺動させてスイッチ作動を行わせることができる。
【０００８】
（２）本発明のリーフスイッチの好ましい実施形態では、前記アクチュエータの遊端側の外面に操作突起を突設し、この操作突起を前記カバーケースの開口から突出させるとともに、復帰状態におけるアクチュエータによって前記開口が閉塞されるようにしてもよい。
【０００９】
この実施形態によると、操作外力が作用しない通常時にスイッチケースが密閉され、ケース内への異物の侵入が有効に防止される。
【００１０】
（３）本発明のリーフスイッチの一つの実施形態では、前記固定片および可動片を、前記ベースケースとカバーケースの接合部位において位置決め係合してもよい。
【００１１】
この実施形態によると、分解されたスイッチケースに固定片および可動片を組み付けるので、インサート成形によって固定片および可動片をスイッチケースに固定する構造に比べて加工性に優れるとともに、ケース結合状態では固定片および可動片を確実強固に位置決め固定することができる。
【００１２】
（４）上記（３）の実施形態では、接合した前記ベースケースとカバーケースとをカシメピンで連結固定するとともに、このカシメピンに前記固定片および可動片を位置決め係合してもよい。
【００１３】
この実施形態によると、固定片および可動片に連結孔や係合凹部を形成してカシメピンに係合させることで、ケース組み立て用の部材であるカシメピンを有効に利用した簡単安価な構成で固定片と可動片の位置決め固定を行うことができる。
【００１４】
（５）本発明のリーフスイッチに他の実施形態では、前記固定片に固定接点部を、前記可動片に可動接点部を、それぞれ一対づつ並列形成してもよい。
【００１５】
この実施形態によると、接点切換えが２箇所で行われることになるので、万一、異物の侵入によって一方に接点障害が発生したとしても他方による良好な接点切換えを行うことができ、スイッチ作動の信頼性が一層高いものとなる。
【００１６】
（６）本発明のリーフスイッチの一つの実施形態では、前記アクチュエータの基端部に設けた支点突起を、ベースケースとカバーケースとの接合部位に形成される凹部に回動可能に係止してもよい。
【００１７】
この実施形態によると、分解したスイッチケースへのアクチュエータの組み込みが容易に行えるとともに、ケース結合状態ではアクチュエータをガタツキなく支持して円滑に揺動作動させることができる。
【００１８】
（７）本発明のリーフスイッチの他の実施形態では、前記固定片と可動片とを互いに逆向きの片持ち状態で対向配置してもよい。
【００１９】
この実施形態によると、固定片および可動片の各基部からケース外に延出した外部端子がスイッチケースの両端に大きく離れて配置されることになり、外部端子が近接して配置される場合に比べてスイッチオフ状態における絶縁性能が高いものとなる。
【００２０】
（８）上記（５）の実施形態では、並列形成してある一対の前記固定接点部の連結部を分離するとともに、並列形成してある一対の前記可動接点部の連結部を分離し、二回路の接点構成としてもよい。
【００２１】
この実施形態によると、一対の固定接点部が並列形成してある固定片を二つに分離するとともに、一対の可動接点部が並列形成してある可動片を二つに分離することにより、単一のリーフスイッチで、例えば、２ａ接点を構成することができる。
【発明の効果】
【００２２】
本発明によると、固定片および可動片をケースに収容して、揺動するアクチュエータで操作するよう構成したので、防塵性に優れるとともに、スイッチ作動の信頼性の高いものとなる。
【発明を実施するための最良の形態】
【００２３】
以下、本発明の実施例を図面に基づいて説明する。
【００２４】
本発明に係るリーフスイッチ１の詳細な構成が図１〜図３に示されている。このリーフスイッチ１は、樹脂製のスイッチケース２に、板バネ材を打抜きプレス加工してなる固定片３と可動片４、および、可動片４を変形操作するアクチュエータ５を組み込んで構成されている。
【００２５】
スイッチケース２は、矩形の浅い箱状に形成されたベースケース２ａとこれに接合されるカバーケース２ｂとからなり、ベースケース２ａの四隅に突設したカシメピン６をカバーケース２ａの連結孔７に挿通してカシメ変形することでベースケース２ａにカバーケース２ｂが密封状に接合連結されるようになっている。なお、以後の説明において、便宜上、スイッチケース２の長片方向を前後方向、短片方向を左右方向と呼称する。
【００２６】
固定片３は前方に設けられた左右一対の前記カシメピン６に連結孔８を介して位置決め挿嵌されるとともに、可動片４は後方に設けられた左右一対のカシメピン６に連結孔９を介して位置決め挿嵌され、ベースケース２ａとカバーケース２ｂの接合面の間に互いに逆向きの片持ち状態で挟持固定される。固定片３および可動片４には、左右に並列された一対の固定接点部３ａと可動接点部４ａがそれぞれ形成され、これら固定接点部３ａと可動接点部４ａが適当な絶縁間隔をもって対向配備される。固定片３および可動片４の基端側はケース外に突出されて外部端子３ｂ，４ｂが形成される。
【００２７】
前記アクチュエータ５は樹脂材で平板状に形成されており、その一端部に左右一対の支点突起１０が設けられるとともに、その他端部の外面に操作突起１１が設けられている。支点突起１０がベース２ａにおける左右の周壁２ｃに形成された凹部１２に係入されるとともに、連結されるカバーケース２ｂによって抜け止め支持されることで、アクチュエータ５が支点突起１０を中心に揺動可能に支持される。操作突起１１はカバーケース２ｂに形成された開口１３から突出されている。また、アクチュエータ５の遊端部内面には、各可動接点４ａを左右から係止する小突起５ａが形成され、可動接点４ａの左右の振れが阻止されている。
【００２８】
前記操作突起１１に外力がかけられていない状態では、図２（ａ）に示すように、アクチュエータ５は可動接点部４ａによって押し上げ揺動付勢されており、可動接点部４ａが固定接点部３ａから離間したスイッチオフ状態が維持される。この時、復帰位置にあるアクチュエータ５の外面がカバーケース２ｂの内面に受け止められて、開口１３が閉塞されて異物の侵入が阻止される。
【００２９】
操作突起１１を押し込み操作してアクチュエータ５を揺動操作することで、図２（ｂ）に示すように、アクチュエータ５の遊端部で可動接点部４ａが押圧変形されて固定接点部３ａに接触導通され、スイッチオン状態が現出される。操作突起１１の押し込み操作を解除すると、可動接点部４ａの弾性復元力でアクチュエータ５が復帰揺動して、元のスイッチオフ状態に戻る。
【００３０】
図４〜図７に、上記構成のリーフスイッチ１を内蔵スイッチとして組み込んだ押しボタンスイッチ２０の一例が示されており、図４は押しボタンスイッチ２０の外観斜視図、図５および図６はその縦断側面図、図７はその分解した斜視図である。
【００３１】
この押しボタンスイッチ２０は、エレベータスイッチとして利用されるものであって、ベース２１に上記リーフスイッチ１、回路基板２２、スイッチ操作用のプランジャ２３、プランジャ２３を平行移動させるためのレバーリンク機構２４、等を組み付けて構成されている。
【００３２】
前記ベース２１は、四周辺に低い周壁２１ａを立設した長方形あるいは正方形に形成されており、その内部底面に沿って回路基板２２が止着されるとともに、この回路基板２２の端部に搭載されたコネクタ２５が周壁２１ａの一部に形成された開口部２６に臨設されて、外部配線がコネクタ接続できるようになっている。
【００３３】
前記回路基板２２の中央開口部２２ａに前記リーフスイッチ１が嵌め込み装着され、ケース外に突設された前記外部端子３ｂ，４ｂが回路基板２２の上面に形成された回路パターンにハンダ付け接続されている。
【００３４】
前記レバーリンク機構２４は、金属線材をコの字形に屈曲してなる一対のレバーリンク２７と、これを屈折可能に突き合わせ連結する一対のジョイント部材２８と、スイッチ操作用およびスナップ作動用の左右に長い板バネ２９とから構成されている。両レバーリンク２７の両端部が互いに突き合わされるように対向配置されるとともに、各レバーリンク２７の両端部が内向きに屈折されて突き合わされ、突き合わされた屈折端部２７ａ，２７ａ同士がジョイント部材２８に差し込み連結される。各レバーリンク２７における外端部には、上方に突出するバネ掛け部２７ｂが屈曲形成されている。
【００３５】
板バネ２９は、その長手方向中央部が山形状に屈曲されるとともに、板バネ２９の両端部にカール部２９ａが形成されており、山形屈曲部の弾性変形によって板バネ全長が伸縮変化するとともに、両端のカール部２９ａが両レバーリンク２７のバネ掛け部２７ｂにそれぞれ係止されている。また、板バネ２９の中央部が前記リーフスイッチ１の操作突起１１に対向して配備される。
【００３６】
このように構成されたレバーリンク機構２４の各レバーリンク２７は、図６に示すように、ベース２１に設けられた上部突起３０と下部突起３１との突合せ先端部の間に係入され、図８に示すように、その係止点を中間支点ｐとしてシーソー揺動可能に支持されるとともに、各レバーリンク２７の外端部がプランジャ２３に突設した係止部３２に係入支持される。
【００３７】
プランジャ２３は、中抜き矩形に形成されており、その下面から突設した周壁がベース２１の周壁２１ａに内嵌案内される。プランジャ２３における開口周部に沿って突部３３が設けられ、この突部３３に、表面に表示マークが形成された略矩形形状の押しボタン３４が外嵌止着されている。
【００３８】
ベース２１の四隅近くには半割り筒状のバネ受けボス３５が突設され、ここに圧縮コイルバネからなる復帰バネ３６が挿入支持され、これら復帰バネ３６によってプランジャ２３が上向きに押圧付勢されている。
【００３９】
プランジャ２３が復帰位置にある状態では、図６および図８（ａ）に示すように、レバーリンク機構２４の両レバーリンク２７は、その突合せ部位が外端部より少し低くなった谷折り姿勢にあり、この時、図５に示すように、板バネ２９がリーフスイッチ１の操作突起１１から離れている。
【００４０】
押しボタン３４に押し込み操作力が加わるとプランジャ２３が復帰バネ３６に抗して押し込み移動し、レバーリンク機構２４における両レバーリンク２７の外端部が下方に変位されて、プランジャ２３は平行に押し込み移動する。プランジャ２３の移動に伴ってレバーリンク２７は、上部突起３０と下部突起３１との係止点である中間支点ｐを中心にしてシーソー揺動し、このシーソー揺動によって両レバーリンク２７のバネ掛け部２７ｂの間隔が拡がり、板バネ２９が伸長するように弾性変形され、この変形反力によって押し操作抵抗が少し大きくなる。
【００４１】
レバーリンク２７が引き続きシーソー揺動されて、両バネ掛け部２７ｂが前記支点ｐを下方に通過したとたん、図８（ｂ）に示すように、板バネ２９の弾性復元力によってレバーリンク２７の外端部同士が互いに引き寄せられ、両レバーリンク２７は突合せ部位が外端部より高くなる山折り姿勢に向けて瞬時に反転付勢され、付勢方向を反転させるスナップ作動によって押し込み操作抵抗が一瞬にして軽減され、これがクリック感となって押しボタン３４を操作する指に感じられる。
【００４２】
レバーリンク機構２４がスナップ作動して板バネ２９が下方に移動し、板バネ２９の中央部位でリーフスイッチ１の操作突起１１が押し込まれてスイッチオンされる。
【００４３】
押しボタン３４への押し込み操作を解除すると、復帰バネ３６によってプランジャ２３が上方に復帰移動するとともに、これに伴ってレバーリンク２７の外端部も上方に移動し、逆のスナップ作動によってレバーリンク機構２４は元の姿勢に復帰するとともに、リーフスイッチ１がスイッチオフ状態に復帰する。
【００４４】
(他の実施例)
本発明は、以下のような形態で実施することもできる。
【００４５】
（１）固定片３と可動片４とをスイッチケース２の接合面に位置決め挟持する手段としては、固定片３および可動片４から板面方向に係合突起を折り出し、あるいは、打ち出し形成し、この係合突起をベースケース２ａあるいはカバーケース２ｂの接合面に形成したスリットや係合穴に係入する構造を利用することもできる。
【００４６】
（２）ベースケース２ａとカバーケース２ｂとを爪係合式に接合連結して、分解可能に構成して実施することもできる。
【００４７】
（３）ベースケース２ａとカバーケース２ｂとを接着、溶着、あるいは、ネジ止めによって連結することもできる。
【００４８】
（４）前記アクチュエータ５を、スイッチケース２に貫通装着した支軸に一体連結し、この支軸をケース外から回動操作して、アクチュエータ５を揺動操作するよう構成することもできる。
【００４９】
（５）図９および図１０に示すように、固定片３および可動片４の並列された一対の固定接点部３ａと可動接点部４ａのそれぞれの基端側の連結部を切断して分離し、個別の外部端子３ｂ、３ｂ；４ｂ，４ｂとすることにより、２ａ接点構成とすることもできる。
【産業上の利用可能性】
【００５０】
本発明は、押しボタンスイッチ等の内蔵スイッチなどとして有用である。
【図面の簡単な説明】
【００５１】
【図１】リーフスイッチの外観を示す斜視図である。
【図２】リーフスイッチのオフ状態（ａ）およびオン状態（ｂ）を示す縦断側面図である。
【図３】リーフスイッチの分解斜視図である。
【図４】押しボタンスイッチの外観を示す斜視図である。
【図５】押しボタンスイッチの中心部位での縦断側面図である。
【図６】押しボタンスイッチの中心から偏位した部位での縦断側面図である。
【図７】押しボタンスイッチの分解斜視図である。
【図８】レバーリンク機構の作動説明図である。
【図９】他のリーフスイッチの外観を示す斜視図である。
【図１０】他のリーフスイッチの分解斜視図である。
【符号の説明】
【００５２】
２              スイッチケース
２ａ            ベースケース
２ｂ            カバーケース
３              固定片
３ａ            固定接点部
３ｂ            外部端子
４              可動片
４ａ            可動接点部
４ｂ            外部端子
５              アクチュエータ
６              カシメピン
１１            操作突起
１２            凹部
１３            開口
【図１】
2008147127.tif 000003
【図２】
2008147127.tif 000004
【図３】
2008147127.tif 000005
【図４】
2008147127.tif 000006
【図５】
2008147127.tif 000007
【図６】
2008147127.tif 000008
【図７】
2008147127.tif 000009
【図８】
2008147127.tif 000010
【図９】
2008147127.tif 000011
【図１０】
2008147127.tif 000012